(57)【要約】      （修正有）【課題】ユーザ間でのコンテンツの紹介をより活発にする技術を提供する。【解決手段】端末装置１０Ｂは、コンテンツを他のユーザに紹介すると付与される特典をコンテンツの紹介者の識別情報ＵＩＤ毎に管理する特典管理サーバ２０Ｃと通信可能であり、且つ、紹介しようとするコンテンツを紹介者の識別情報ＵＩＤごとに管理する紹介コンテンツ管理サーバ２０Ｂと通信可能な通信部と、紹介者の識別情報ＵＩＤａを送信可能な端末装置１０Ａと端末装置１０Ｂとの間の無線による情報通信で、紹介者の識別情報ＵＩＤａを受信する受信部と、通信部を介して、受信部が受信した紹介者の識別情報ＵＩＤａに、紹介コンテンツ管理サーバ２０Ｂにおいて対応付けられたコンテンツに関する情報を取得するコンテンツ情報取得部と、通信部を介して、紹介者の識別情報ＵＩＤａを特典管理サーバ２０Ｃに報告する報告部と、を備える。【選択図】図１
2016031669.tif 000002
【特許請求の範囲】
【請求項１】
コンテンツを他のユーザに紹介すると付与される特典をコンテンツの紹介者の識別情報ごとに管理する特典管理サーバと通信可能であり、且つ、紹介しようとするコンテンツを紹介者の識別情報ごとに管理する紹介コンテンツ管理サーバと通信可能な通信部と、
紹介者の識別情報を送信可能な送信装置と当該端末装置との間の無線による情報通信で、当該紹介者の識別情報を受信する受信部と、
前記通信部を介して、前記受信部が受信した前記紹介者の識別情報に前記紹介コンテンツ管理サーバにおいて対応付けられたコンテンツに関する情報を取得するコンテンツ情報取得部と、
前記通信部を介して、前記紹介者の識別情報を前記特典管理サーバに報告する報告部と
を備えた端末装置。
【請求項２】
前記受信部は、
前記紹介者の識別情報を含む音響を収音する収音部と、
前記収音部が収音した音響から前記紹介者の識別情報を取得する識別情報取得部とを含む
請求項１に記載の端末装置。
【請求項３】
前記コンテンツ情報取得部は、前記コンテンツに関する情報として前記コンテンツの属性情報を取得し、
当該端末装置は、
前記コンテンツ情報取得部が取得した前記コンテンツの属性情報を、当該端末装置のユーザに通知する通知部をさらに備える
請求項１又は２に記載の端末装置。
【請求項４】
前記報告部は、前記通知部によって通知された前記属性情報を参照した前記ユーザの指示に応じて当該端末装置が前記コンテンツを取得した場合に、前記紹介者の識別情報を前記特典管理サーバに報告する
請求項３に記載の端末装置。
【請求項５】
コンテンツを他のユーザに紹介すると付与される特典をコンテンツの紹介者の識別情報ごとに管理する特典管理サーバと通信可能であり、且つ、紹介しようとするコンテンツを紹介者の識別情報ごとに管理する紹介コンテンツ管理サーバと通信可能な通信部を備えたコンピュータに、
紹介者の識別情報を送信可能な送信装置と当該コンピュータとの間の無線による情報通信で、当該紹介者の識別情報を受信する受信処理と、
前記通信部を介して、受信した前記紹介者の識別情報に前記紹介コンテンツ管理サーバにおいて対応付けられたコンテンツに関する情報を取得するコンテンツ情報取得処理と、
前記通信部を介して、前記紹介者の識別情報を前記特典管理サーバに報告する報告処理と
を実行させるプログラム。
【発明の詳細な説明】
【技術分野】
【０００１】
本発明は、コンテンツを配信するサービスを提供する技術に関する。
【背景技術】
【０００２】
楽曲やゲーム等の各種のコンテンツに関する情報を端末装置に配信する技術が従来から提案されている。例えば特許文献１には、喫茶店などで流れる楽曲から当該楽曲の識別情報を抽出することで楽曲に関する情報を受信可能な端末装置が開示されている。
【先行技術文献】
【特許文献】
【０００３】
【特許文献１】特開２００７−２１５１９８号公報
【発明の概要】
【発明が解決しようとする課題】
【０００４】
ところで、コンテンツを配信するサービスにおいて、紹介者が他のユーザにコンテンツを紹介可能とするサービス形態が想定される。このサービス形態において、紹介者にとってのインセンティブが増すと、コンテンツの紹介がより活発に行われることが期待される。そこで特許文献１に記載の技術を採用すれば、コンテンツの紹介者は他のユーザの端末装置に対して楽曲の識別情報を送信し、コンテンツを簡単に紹介することができる。しかし、楽曲の識別情報を送信しても紹介者は何ら恩恵を得ることができないから、コンテンツの紹介へのインセンティブとしては不十分である。
以上の事情を考慮して、本発明は、ユーザ間でのコンテンツの紹介をより活発にすることが可能な技術を提供することを解決課題の一つとする。
【課題を解決するための手段】
【０００５】
以上の課題を解決するために、本発明に係る端末装置の一態様は、コンテンツを他のユーザに紹介すると付与される特典をコンテンツの紹介者の識別情報ごとに管理する特典管理サーバと通信可能であり、且つ、紹介しようとするコンテンツを紹介者の識別情報ごとに管理する紹介コンテンツ管理サーバと通信可能な通信部と、紹介者の識別情報を送信可能な送信装置と当該端末装置との間の無線による情報通信で、当該紹介者の識別情報を受信する受信部と、前記通信部を介して、前記受信部が受信した前記紹介者の識別情報に前記紹介コンテンツ管理サーバにおいて対応付けられたコンテンツに関する情報を取得するコンテンツ情報取得部と、前記通信部を介して、前記紹介者の識別情報を前記特典管理サーバに報告する報告部とを備える。この態様においては、コンテンツの紹介者の識別情報が特典管理サーバに対して報告されるから、コンテンツの紹介へのインセンティブが増し、ひいては、コンテンツの紹介がより活発に行われ得る。また、紹介者の識別情報を他のユーザに送信すれば複数のコンテンツを紹介可能となるから、従来のようにコンテンツを他のユーザに対して送信する場合と比較して、複数のコンテンツの識別情報を送信する手間が除去され、通信における処理負荷が低減されるという利点がある。
ここで、「コンテンツに関する情報」としては、例えば、コンテンツの識別情報のほか、コンテンツの属性情報や、コンテンツそれ自体が例示される。「コンテンツの属性情報」には、コンテンツが楽曲である場合には楽曲の曲名や歌手名等がある。また、「送信装置」としては、紹介者の端末装置（例えばスマートフォン）や、店舗、公共施設等における放音システムが例示される。「無線による情報通信」は、有線伝送路を介在させることなく装置間の空間に存在する伝送媒体を利用して実現される情報通信（広義の無線通信）であり、装置間で伝達される電波を伝送媒体とする電気通信（狭義の無線通信）と、装置間で伝播する音波（空気の振動）を伝送媒体とする音響通信とを包含する。
【０００６】
本発明の好適な態様にかかる端末装置において、前記受信部は、前記紹介者の識別情報を含む音響を収音する収音部と、前記収音部が収音した音響から前記紹介者の識別情報を取得する識別情報取得部とを含む。この態様においては、紹介者の識別情報を表す音響が収音部（例えば、マイクロフォン）に収音されて、収音した音響から識別情報が取得されるから、送信装置と端末装置との間で個別の通信リンクを確立することなく紹介者の識別情報を受信できる。また、送信装置と端末装置が存する空間にいる他の端末装置も音響を収音可能であるから、紹介者が紹介の対象とするユーザ以外のユーザも自由に紹介者の識別情報を受信できる。また、端末装置が収音部を具備してさえいれば、紹介者の識別情報の受信が可能となるという利点もある。すなわち、端末装置がBluetooth（登録商標）やFeliCa（登録商標）などの近距離（あるいは非接触の）通信機能を有しない場合にも、紹介者の識別情報の受信が可能となる。よって、コンテンツの紹介がより効率的に促進され得る。
【０００７】
本発明の好適な態様において、前記コンテンツ情報取得部は、前記コンテンツに関する情報として前記コンテンツの属性情報を取得し、当該端末装置が、前記コンテンツ情報取得部が取得した前記コンテンツの属性情報を、当該端末装置のユーザに通知する通知部をさらに備える。ここで、「通知部」による通知には、例えば、端末装置の表示部によってコンテンツの属性情報を表示すること、及び、端末装置の放音部によってコンテンツの属性情報を音声により通知することを含む。この態様においては、コンテンツ情報取得部は、コンテンツの属性情報を端末装置のユーザに通知するから、端末装置のユーザは、通知されたコンテンツの属性情報を表示又は音声（あるいは、表示及び音声）により確認することが可能となる。
【０００８】
本発明の好適な態様において、前記報告部は、前記通知部によって通知された前記属性情報を参照した前記ユーザからの指示に応じて当該端末装置が前記コンテンツを取得した場合に、前記紹介者の識別情報を前記特典管理サーバに報告する。この態様においては、紹介者が紹介したコンテンツを端末装置が取得した場合に紹介者の識別情報を特典管理サーバに報告するから、紹介者が紹介したコンテンツを被紹介者が実際に取得することを条件として紹介者に特典を付与することが可能となる。よって、コンテンツの紹介者のみならず、コンテンツを配信するサービスの提供者に対しても確実に利益が還元されるという利点がある。
【０００９】
加えて、本発明にかかるプログラムの一態様は、コンテンツを他のユーザに紹介すると付与される特典をコンテンツの紹介者の識別情報ごとに管理する特典管理サーバと通信可能であり、且つ、紹介しようとするコンテンツを紹介者の識別情報ごとに管理する紹介コンテンツ管理サーバと通信可能な通信部を備えたコンピュータに、紹介者の識別情報を送信可能な送信装置と当該コンピュータとの間の無線による情報通信で、当該紹介者の識別情報を受信する受信処理と、前記通信部を介して、受信した前記紹介者の識別情報に前記紹介コンテンツ管理サーバにおいて対応付けられたコンテンツに関する情報を取得するコンテンツ情報取得処理と、前記通信部を介して、前記紹介者の識別情報を前記特典管理サーバに報告する報告処理とを実行させる。この態様においても上記の端末装置と同様の効果が奏される。上記のプログラムは、コンピュータが読取可能な記録媒体に格納された形態で提供されてコンピュータにインストールされるほか、通信網を介した配信の形態で提供されてコンピュータにインストールされる。
【図面の簡単な説明】
【００１０】
【図１】本発明の第１実施形態の通信システムの全体構成を示すブロック図である。
【図２】端末装置の機能ブロック図である。
【図３】紹介コンテンツ管理テーブルの記憶内容の一例を示す図である。
【図４】特典管理テーブルの記憶内容の一例を示す図である。
【図５】通信システムの動作例を示すシーケンスチャートである。
【図６】本発明の第２実施形態の通信システムの全体構成を示すブロック図である。
【発明を実施するための形態】
【００１１】
＜第１実施形態＞
図１は、本発明の第１実施形態の通信システム１００の全体構成を示すブロック図である。第１実施形態の通信システム１００は、サービス提供システム２０とコンテンツサーバ３０と複数の端末装置１０（１０Ａ，１０Ｂ）とを備える。各端末装置１０は、通信網Ｎ（例えば移動通信網やインターネット）を介してサービス提供システム２０およびコンテンツサーバ３０の各々と相互に通信可能である。
サービス提供システム２０は、あるユーザが他のユーザにコンテンツを紹介するコンテンツ紹介サービスを提供するためのシステムである。以下の説明では、楽曲をコンテンツの一例として説明するが、コンテンツの種類はこれに限られない。例えば、ゲームや動画像等をコンテンツとして提供する構成も採用され得る。また、本実施形態のコンテンツ紹介サービスでは、ユーザＡがユーザＢに対して楽曲を紹介する場合を想定する。図１の端末装置１０ＡはユーザＡの端末装置である。端末装置１０ＢはユーザＢの端末装置である。
【００１２】
サービス提供システム２０は、ＩＤ付与サーバ２０Ａと紹介コンテンツ管理サーバ２０Ｂと特典管理サーバ２０Ｃとを備える。ＩＤ付与サーバ２０Ａは、端末装置１０Ａからの要求に応じて、ユーザＡを一意に識別するための識別情報ＵIDaを含む音響信号ＡSを生成し、端末装置１０Ａに送信する。音響信号ＡSは、例えばＷＡＶ形式やＭＰＥ形式の音響ファイルとして端末装置１０Aに送信される。音響信号ＡSの生成（音響透かし）には公知の方法が任意に採用され得るが、例えば国際公開第２０１０／０１６５８９号に開示された方法が好適である。具体的には、ＩＤ付与サーバ２０Ａは、拡散符号を利用した識別情報ＵIDaの変調（拡散変調）と所定の周波数の搬送波を利用した変調とを順次に実行することで、識別情報ＵIDaを特定の周波数帯域の音響成分として含有する音響信号ＡSを生成する。音響信号ＡSの周波数帯域は、一般的な音響機器による放音と収音とが可能な周波数帯域であり、かつ、受聴者が聴取する通常の音響（音声や楽音）の周波数帯域（例えば可聴域内の約１６ｋＨｚ以下）を上回る周波数帯域（例えば１８ｋＨｚ以上かつ２０ｋＨｚ以下）の範囲内に包含される。したがって、識別情報ＵIDaを含む音響信号ＡSの再生音はユーザに殆ど知覚されない。
【００１３】
紹介コンテンツ管理サーバ２０Ｂは、各端末装置１０のユーザが他のユーザに紹介する楽曲を管理する。具体的には、紹介コンテンツ管理サーバ２０Ｂは、紹介コンテンツ管理テーブルTBL1を参照して、端末装置１０Ｂから受信したユーザＡの識別情報ＵIDaに対応付けて記憶された１又は複数の楽曲の識別情報を端末装置１０Ｂに対して送信する。特典管理サーバ２０Ｃは、他のユーザに楽曲を紹介したユーザに付与される特典（本実施形態ではポイント）を管理する。具体的には、特典管理サーバ２０Ｃは、特典管理テーブルTBL2を参照して、端末装置１０Ｂから報告されたユーザＡの識別情報ＵIDaに対応付けて記憶された特典を示す情報を更新する。紹介コンテンツ管理テーブルTBL1及び特典管理テーブルTBL2については後段で詳述する。
【００１４】
コンテンツサーバ３０（例えばウェブサーバ）は、各端末装置１０に楽曲を提供するサーバである。第１実施形態のコンテンツサーバ３０は、端末装置１０Ｂからの要求に応じて楽曲の属性情報ＤAを端末装置１０Ｂに送信する。具体的には、コンテンツサーバ３０は、端末装置１０Ｂから楽曲の識別情報を受信すると、当該楽曲の属性情報ＤA（例えば、楽曲名や歌手名、視聴用の楽曲データ等）を端末装置１０Ｂに送信する。また、コンテンツサーバ３０は、端末装置１０Ｂからの要求に応じて楽曲データＤMを端末装置１０Ｂに送信する。具体的は、端末装置１０ＢのユーザＢが属性情報ＤAに基づいて楽曲のダウンロードをコンテンツサーバ３０に要求すると、コンテンツサーバ３０は、楽曲データＤMを端末装置１０Ｂに対して送信する。楽曲データＤMは、歌唱曲等の各種の楽曲の音響を再生するためのデータである。楽曲データＤMの形式は任意であるが、例えばＭＰ３（MPEG Audio Layer 3）形式やＡＡＣ（Advanced Audio Coding）形式のファイルが楽曲データＤMとして好適である。第１実施形態では、楽曲データＤM内のメタデータから抽出された楽曲名が属性情報ＤAとして指定される。
【００１５】
端末装置１０Ａ及び端末装置１０Ｂはいずれも、例えば携帯電話機（例えばスマートフォン）や携帯情報端末（ＰＤＡ：Personal Digital Assistant）等の通信端末である。端末装置１０Ａは、ユーザＡによるコンテンツの紹介に際し、無線による情報通信でユーザＡの識別情報ＵIDaを端末装置１０Ｂに伝送する。具体的には、第１実施形態では、端末装置１０Ａと端末装置１０Ｂとの間の空間に存在する空気の振動としての音響（音波）Ｓを伝送媒体とする音響通信で端末装置１０Ａから端末装置１０Ｂに識別情報ＵIDaを伝送する。さらに詳細には、端末装置１０Ａは、端末装置１０Ａの放音部からユーザＡの識別情報ＵIDaを波形で表した音響信号ＡSに応じた音響Ｓを放射し、端末装置１０Ｂは、端末装置１０Ａから放射された音響Ｓを収音してユーザＡの識別情報ＵIDaを特定する。前述のとおり音響信号ＡSの周波数帯域は充分に高いから、識別情報ＵIDaの伝送のために音響信号ＡSに応じて放射される音響Ｓはユーザに殆ど知覚されない。なお、以上の例示では可聴帯域内（１８ｋＨｚ〜２０ｋＨｚ）の音響を例示したが、超音波等の可聴帯域外の音響を利用した音響通信で識別情報を伝送することも可能である。
【００１６】
図２は端末装置１０Ｂの機能ブロック図である。図２に示されるように、端末装置１０Ｂは制御部１１と通信部１２と受信部１３と記憶部１４とタッチパネル１５と放音部１６を含んで構成される。制御部１１は、端末装置１０Ｂの各要素を統括的に制御する演算処理装置である。記憶部１４は、制御部１１が実行するプログラムや制御部１１が使用する各種のデータを記憶する。例えば記憶部１４は、端末装置１０Ａから伝送されたユーザＡの識別情報ＵIDaを記憶する。また、例えば記憶部１４は、コンテンツ紹介サービスを利用するためのアプリケーションプログラム（「コンテンツ紹介アプリ」）を記憶する。通信部１２は、通信網Ｎを介してサービス提供システム２０とコンテンツサーバ３０と通信する。なお、端末装置１０Ｂと通信網Ｎとの間の通信は典型的には無線通信であるが、例えば据置型のパーソナルコンピュータ等を端末装置１０Ｂとして利用する場合には端末装置１０Ｂと通信網Ｎとが有線通信することも可能である。
【００１７】
タッチパネル１５は、制御部１１による制御のもと各種の画像を表示する表示部（例えば液晶表示パネル）と、端末装置１０Ｂに対する指示をユーザが入力するための入力部とが一体に構成された入出力機器である。なお、表示部とは別個に設けられた複数の操作子を有する機器として入力部を構成したり、端末装置１０Ｂに対する指示を音声で入力するための収音部１３Ａを入力部として採用することも可能である。放音部１６（スピーカやイヤホン）は、制御部１１から指示された音響を再生する。
【００１８】
図２に示すように、受信部１３は、制御部１１が記憶部１４に記憶されたプログラムを実行することで、収音部１３Ａと協働して実現される機能要素である。収音部１３Ａ（マイクロフォン）は、ユーザＡの識別情報ＵIDaを含む音響Ｓを収音する。ＩＤ抽出部１３Ｂは、収音部１３Ａが収音した音響ＳからユーザＡの識別情報ＵIDaを取得する要素（識別情報取得部）である。具体的には、ＩＤ抽出部１３Ｂは、収音した音響Ｓのうち識別情報を含む周波数帯域の信号成分（音響信号ＡSに相当）をハイパスフィルタにより抽出し、音響信号ＡSの生成に際して実行した拡散変調に用いられた拡散符号を係数とする整合フィルタに通すことによってユーザＡの識別情報ＵIDaを復号する。すなわち、収音部１３ＡとＩＤ抽出部１３Ｂとは、コンテンツの紹介者であるユーザＡの識別情報ＵIDaを送信可能な端末装置１０Ａ（送信装置）と端末装置１０Ｂとの間の無線による情報通信で、ユーザＡの識別情報ＵIDaを受信する受信部１３として機能する。
【００１９】
図３に、紹介コンテンツ管理サーバ２０Ｂに記憶される紹介コンテンツ管理テーブルTBL1の記憶内容の一例を示す。図示のように、紹介コンテンツ管理テーブルTBL1には、コンテンツ紹介サービスを利用する各ユーザ（紹介者）の識別情報ＵIDに対応付けて、ユーザが紹介しようとする楽曲の識別情報ＭIDが記憶されている。本実施形態の端末装置１０Ａは、ＩＤ付与サーバ２０Ａから音響信号ＡSを受信した後の任意のタイミングで、通信網Ｎを介して、ユーザＢを含む他のユーザに紹介しようとする楽曲の識別情報ＭIDを、ユーザＡの識別情報ＵIDaとともに紹介コンテンツ管理サーバ２０Ｂに対して送信する。紹介コンテンツ管理サーバ２０Ｂは、受信した識別情報ＭIDをユーザＡの識別情報ＵIDaと対応付けて紹介コンテンツ管理テーブルTBL1に記憶する。図示の例では、識別情報「13525」に対応付けて２つの識別情報「ＭIDd，ＭIDe」が記憶され、識別情報「13526」に対応付けて３つの楽曲の識別情報「ＭIDa，ＭIDb，ＭIDc」が記憶され、識別情報「13527」に対応付けて１つの楽曲の識別情報「ＭIDd」が記憶されている。このテーブルにおいて、「13526」がユーザＡの識別情報ＵIDaであり、３つの楽曲の識別情報「ＭIDa，ＭIDb，ＭIDc」が対応付けられている。
【００２０】
図４に、特典管理サーバ２０Ｃに記憶される特典管理テーブルTBL2の記憶内容の一例を示す。図示のように、特典管理テーブルTBL2には、各ユーザの識別情報ＵIDに対応付けて、各ユーザが保有するポイントを示す特典情報が記憶される。ポイントは、各種のサービスを享受するための対価として消費される仮想的な通貨価値である。図示の例では、識別情報「13525」に対応付けて「１０」ポイント、識別情報「13526」に対応付けて「５」ポイント、及び識別情報「13527」に対応付けて「２６」ポイントの特典情報がそれぞれ記憶されている。特典管理テーブルTBL2のうちユーザＡの識別情報ＵIDaに対応する特典情報が示すポイント数は、ユーザＡの識別情報ＵIDaが端末装置１０Ｂから報告される度に所定量だけ増加し、ユーザＡが自身のポイントを使用する度に使用分だけ減少する。すなわち、特典管理テーブルTBL2は常に最新の状態に保たれる。
【００２１】
図２に示すように、制御部１１は、さらに、記憶部１４に記憶されたプログラムを実行することでコンテンツ情報取得部１１Ａ及び報告部１１Ｂとして機能する。コンテンツ情報取得部１１Ａは、通信部１２を介して、受信部１３が受信したユーザＡの識別情報ＵIDaに対応付けられた楽曲の識別情報ＭIDを紹介コンテンツ管理サーバ２０Ｂから取得し、識別情報ＭIDの楽曲の属性情報ＤAをコンテンツサーバ３０から取得する。具体的には、コンテンツ情報取得部１１Ａは、ＩＤ抽出部１３Ｂが取得したユーザＡの識別情報ＵIDaを、通信部１２及び通信網Ｎを介して紹介コンテンツ管理サーバ２０Ｂに送信する。紹介コンテンツ管理サーバ２０Ｂは、紹介コンテンツ管理テーブルTBL1を参照して、端末装置１０Ｂから受信したユーザＡの識別情報ＵIDaに対応付けられた楽曲の識別情報ＭIDa，ＭIDb，ＭIDcを端末装置１０Ｂに返信する。コンテンツ情報取得部１１Ａは、識別情報ＭIDa，ＭIDb，ＭIDcをコンテンツサーバ３０に送信して、各楽曲の属性情報ＤAa，ＤAb，ＤAcを取得する。
前述のタッチパネル１５は、コンテンツ情報取得部１１Ａが取得した楽曲の属性情報ＤAを表示することにより、端末装置１０ＢのユーザＢに通知する。なお、表示による通知に代えて（あるいは加えて）、属性情報ＤAに対応する音響を放音部１６から放音することにより属性情報ＤAの通知を行うようにしてもよい。
【００２２】
報告部１１Ｂは、通信部１２を介して、受信部１３が受信したユーザＡ（すなわちユーザＢに対する楽曲の紹介者）の識別情報ＵIDaを特典管理サーバ２０Ｃに報告する。具体的には、報告部１１Ｂは、ＩＤ抽出部１３Ｂが取得したユーザＡの識別情報ＵIDaを通信部１２及び通信網Ｎを介して特典管理サーバ２０Ｃに送信することにより、識別情報ＵIDaを特典管理サーバ２０Ｃに報告する。識別情報ＵIDaには、ユーザＢが取得した楽曲数を示す楽曲数情報が添付される。特典管理サーバ２０Ｃは、特典管理テーブルTBL2において、端末装置１０Ｂから受信した識別情報ＵIDaに対応付けられた特典情報のポイント数に、ユーザＡからの紹介によりユーザＢが取得（購入）した楽曲数と所定ポイント数との乗算値を加算する。本実施例ではひとつの楽曲あたりの所定ポイント数を「１」とする。すなわち、楽曲の紹介者には、楽曲を１つ他のユーザに紹介する度に（より正確には、他のユーザが、紹介された楽曲を１つ購入する度に）「１ポイント」の特典が付与される。なお、付与される特典の種類や数は任意である。例えば、付与されるポイントを楽曲数に応じたものとせず、識別情報ＵIDaが報告部１１Ｂから報告される度に、紹介された楽曲の個数にかかわらず、当該識別情報ＵIDaに対応付けられて記憶されているポイントに所定量のポイントを加算してもよい。この場合、報告部１１Ｂは、識別情報ＵIDaに楽曲数情報を添付することなく特典管理サーバ２０Ｃに識別情報ＵIDaを報告する。
【００２３】
端末装置１０Ａの構成（図示せず）は端末装置１０Ｂと同様である。端末装置１０Ａの制御部は、端末装置１０ＢのＩＤ抽出部１３Ｂと同様の処理（拡散変調および整合フィルタ）により、ＩＤ付与サーバ２０Ａから受信した音響信号ＡSからユーザＡの識別情報ＵIDaを復号する。ＩＤ付与サーバ２０Ａから受信した音響信号ＡSと復号後の識別情報ＵIDaとが記憶部に格納される。記憶部に記憶された識別情報ＵIDaはサービス提供システム２０との通信に利用される。また、記憶部に記憶された音響信号ＡSは、放音部に供給されることで音響Ｓとして放射される。
【００２４】
次に、図５を参照して通信システム１００における各装置（サービス提供システム２０，コンテンツサーバ３０，端末装置１０Ａ，端末装置１０Ｂ）の動作の具体例を説明する。図５の動作を開始する時点において、ユーザＡの端末装置１０Ａの記憶部に楽曲ａ，ｂ，ｃにそれぞれ対応する楽曲データＤMa,ＤMb,ＤMcが記憶され、ユーザＢの端末装置１０Ｂの記憶部１４には楽曲データＤMa,ＤMb,ＤMcが記憶されていない場合を想定する。また、端末装置１０Ａの記憶部及び端末装置１０Ｂの記憶部１４のそれぞれにコンテンツ紹介アプリが記憶されており、ユーザＢは、ユーザＡからの紹介により、楽曲ａ，ｂ，ｃの楽曲データＤMa,ＤMb,ＤMcを購入するものとする。
【００２５】
ユーザＡの端末装置１０Ａでコンテンツ紹介アプリが起動されると、端末装置１０Ａの制御部はサービス提供システム２０に対してユーザＡの識別情報ＵIDaを要求する（S1）。サービス提供システム２０のＩＤ付与サーバ２０Ａは、これに応じて識別情報ＵIDaを表す音響信号ＡSを生成し(S2)、端末装置１０Ａに返信する（S3）。識別情報ＵIDaの取得（S1〜S3）は、コンテンツ紹介アプリが最初に起動された段階で実行される。音響信号ＡSは端末装置１０Ａの記憶部に記憶され（S4）、以降の音響通信に用いられる。また、端末装置１０Ａの制御部は音響信号ＡSから識別情報ＵIDaを復号し、記憶部に記憶する。
【００２６】
その後、端末装置１０Ａにおいて、ユーザＡからユーザＢに紹介しようとする楽曲をユーザＡが指定すると（S5）、端末装置１０Ａの制御部は、指定された楽曲の識別情報（ＭIDa,ＭIDb,ＭIDc）を、記憶部に記憶した識別情報ＵIDaとともにサービス提供システム２０の紹介コンテンツ管理サーバ２０Ｂに送信する（S6）。楽曲の指定は、例えば、記憶部に記憶された楽曲データＤMa,ＤMb,ＤMcのメタデータから抽出された楽曲ａ，ｂ，ｃの曲名に応じた画像がタッチパネル１５に表示され、ユーザＡがこれらを選択した後に「Share」ボタンをタップすることで実行される。紹介コンテンツ管理サーバ２０Ｂは、楽曲ａ，ｂ，ｃの識別情報ＭIDa,ＭIDb,ＭIDcをユーザＡの識別情報ＵIDaに対応付けて紹介コンテンツ管理テーブルTBL1に登録する（S7）。例えば、識別情報ＵIDaに対応して記憶された既存の識別情報ＭIDが、新たにユーザＡが指定した楽曲の識別情報ＭID（ＭIDa，ＭIDb，ＭIDc）に更新（上書き）される。その結果、紹介コンテンツ管理テーブルTBL1の記憶内容は図３に示すようなものとなる。また、端末装置１０Ａは、前述の「Share」ボタンの操作を契機として、ユーザＡの識別情報ＵIDaを含む音響信号ＡSを記憶部から読み出し、音響信号ＡSに応じた音響Ｓを放音部（図示せず）から放射する（S8）。
【００２７】
端末装置１０Ｂでは、収音部１３Ａにより音響Ｓを収音し、端末装置１０Ｂの制御部１１（ＩＤ抽出部１３Ｂ）は、音響ＳからユーザＡの識別情報ＵIDaを取得し、記憶部１４に記憶する（S9）。すなわち、前述の通り、制御部１１がステップS9を実行することで、端末装置１０Ａとの間の無線による情報通信でユーザＡの識別情報ＵIDaを受信する機能要素（受信部１３）が実現される。
【００２８】
次いで、端末装置１０Ｂの制御部１１は、端末装置１０Ａから受信したユーザＡの識別情報ＵIDaを通信部１２からサービス提供システム２０に送信する（S10）。サービス提供システム２０の紹介コンテンツ管理サーバ２０Ｂは、受信したユーザＡの識別情報ＵIDaに対応付けられて記憶されている楽曲の識別情報ＭIDa,ＭIDb,ＭIDcを紹介コンテンツ管理テーブルTBL1から読み出し（S11）、端末装置１０Ｂに送信する（S12）。端末装置１０Ｂの制御部１１は、通信部１２を介して、受信した楽曲の識別情報ＭIDa,ＭIDb,ＭIDcをコンテンツサーバ３０に送信し（S13）、コンテンツサーバ３０から楽曲の識別情報ＭIDa,ＭIDb,ＭIDcにそれぞれ対応する楽曲ａ，ｂ，ｃの各属性情報ＤAa,ＤAb,ＤAc（すなわち、楽曲名を示す情報）を取得する（S14）。制御部１１は、取得した属性情報ＤAa,ＤAb,ＤAcに応じた画像（例えば属性情報ＤAのリスト）をタッチパネル１５に表示させる（S15）。すなわち、ユーザＡから紹介された楽曲の楽曲名が提示される。この際、タッチパネル１５には、ユーザＢが楽曲を購入する場合にタップすべき「Buy」ボタンも表示される。以上の説明から理解される通り、制御部１１がステップS10〜S14を実行することで、通信部１２を介して、受信部１３が受信したユーザＡの識別情報ＵIDaに紹介コンテンツ管理サーバ２０Ｂにおいて対応付けられた楽曲に関する情報（すなわち属性情報ＤA）を取得する機能要素（コンテンツ情報取得部１１Ａ）が実現される。また、制御部１１がステップS15を実行することで、楽曲の属性情報ＤAを端末装置１０ＢのユーザＢに通知する機能要素（通知部）が実現される。
【００２９】
端末装置１０ＢのユーザＢは、タッチパネル１５に表示された複数の楽曲のうち自身が購入を希望する楽曲を選択することが可能である。通知された楽曲の属性情報ＤAをユーザＢが参照して所望の楽曲（以下「選択曲」という）の「Buy」ボタンをタップすると（S16）、制御部１１は、選択曲の識別情報ＭIDをコンテンツサーバ３０に送信する（S17）。図５では、楽曲ａ，ｂ，ｃをユーザＢが選択し、各選択曲の識別情報ＭID（ＭIDa，ＭIDb，ＭIDc）がコンテンツサーバ３０に送信された場合が例示されている。コンテンツサーバ３０は、認証処理や課金処理等の一連の手続の実行後に、端末装置１０から受信した選択曲の識別情報ＭIDに応じた楽曲データＤM（図５の例示ではＤMa、ＤMb、及びＤMc）を端末装置１０Ｂに通信網Ｎを介して送信する（S18）。
【００３０】
端末装置１０Ｂの制御部１１は、コンテンツサーバ３０から受信した各選択曲の楽曲データＤMを記憶部１４に記憶し（S19）、通信部１２を介してユーザＡの識別情報ＵIDaをサービス提供システム２０に報告する（S20）。サービス提供システム２０の特典管理サーバ２０Ｃは、特典管理テーブルTBL2において、報告されたユーザＡの識別情報ＵIDaに対応付けて記憶された特典情報を更新する（S21）。すなわち、ユーザＡから楽曲を紹介されたユーザＢがその楽曲を購入することを条件として、紹介者たるユーザＡに特典が付与される。具体的には、図４に示す特典管理テーブルTBL2において、ユーザＡの識別情報ＵIDaに対応付けられた特典情報の現ポイント数「５」に、ユーザＡがユーザＢに紹介した楽曲数「３」と所定ポイント数「１」との乗算値「３」を加算する。その結果、ユーザＡの保有ポイント数は「５」から「８」に増加する。
すなわち、制御部１１がステップS20を実行することで、通信部１２を介して、ユーザＡの識別情報ＵIDaを特典管理サーバ２０Ｂに報告する機能要素（報告部１１Ｂ）が実現される。
【００３１】
以上説明したように、本実施形態では、楽曲の紹介者（ユーザＡ）の識別情報ＵIDaがユーザＢの端末装置１０Ｂに送信されたうえで特典管理サーバ２０Ｃに対して報告されるから、楽曲の紹介へのインセンティブが増し、ひいては、ユーザ間での楽曲の紹介がより活発に行われ得る。また、ユーザＡの識別情報ＵIDaをユーザＢに送信するのみで複数の楽曲の紹介も可能となるから、従来のように楽曲の識別情報を送信して楽曲を紹介する場合と比較して、複数の楽曲の識別情報を送信する手間が除去され、通信における処理負荷が低減されるという利点がある。
【００３２】
さらに、本実施形態では、ユーザＡの識別情報ＵIDaを表す音響Ｓが収音部１３Ａに収音されて、収音した音響Ｓから識別情報ＵIDaが取得されるから、端末装置１０Ａ（ユーザＡの識別情報ＵIDaを送信可能な送信装置）と端末装置１０Ｂとの個別の通信リンクを確立せずとも端末装置１０Ｂが識別情報ＵIDaを受信可能である。また、端末装置１０Ｂが収音部１３Ａを具備してさえいれば、識別情報の受信が可能となるという利点もある。すなわち、端末装置１０ＢがBluetoothやFeliCaなどの近距離（あるいは非接触の）通信機能を有しない場合にも、紹介者の識別情報ＵIDの受信が可能となる。さらに、音響Ｓは端末装置１０Ａと端末装置１０Ｂが存する空間にいる他の端末装置の収音部からも収音可能であるから、ユーザＢ以外のユーザも自由に識別情報ＵIDaを受信できる。よって、コンテンツの紹介がより効率的に促進され得る。
【００３３】
楽曲の識別情報ＭIDを端末装置１０Ａから端末装置１０Ｂに送信する構成では、特に多数の楽曲を紹介する場合に、端末装置１０Ａと端末装置１０Ｂとの間で授受されるデータ量が大きい（ひいては通信に長時間を要する）という問題がある。第１実施形態では、紹介者であるユーザＡの識別情報ＵIDaさえ受信すればユーザＢに複数の楽曲が紹介され得るから、例えば紹介対象の楽曲が多数である場合でも、楽曲の識別情報ＭIDを授受する場合と比較して、端末装置１０Ａから端末装置１０Ｂに送信されるデータ量を削減できる（通信時間を短縮できる）という利点がある。なお、空気振動としての音波を伝送媒体として利用する前掲の音響通信では、例えば電波を伝送媒体として利用する無線通信と比較して通信速度や通信容量が小さいという傾向がある。したがって、端末装置１０Ａから端末装置１０Ｂに送信されるデータ量を抑制できる第１実施形態の構成は、音響通信を利用した構成にとって格別に好適である。
【００３４】
また、楽曲の識別情報ＭIDを端末装置１０Ａから端末装置１０Ｂに音響通信で送信する構成では、ユーザＡが選択した楽曲の識別情報ＭIDを含む音響信号を端末装置１０Ａにて楽曲毎に生成する必要がある。第１実施形態では、端末装置１０Ａから端末装置１０ＢにユーザＡの識別情報ＵIDaが送信されるから、ＩＤ付与サーバ２０Ａから事前に取得した識別情報ＵIDaを継続的に利用することが可能であり、紹介対象の楽曲の識別情報ＭIDを含む音響信号をユーザＡによる選択毎に生成する必要はない。したがって、端末装置１０Ａの処理負荷が軽減されるという利点もある。
【００３５】
加えて、本実施形態においては、制御部１１は、コンテンツサーバ３０から取得した楽曲の属性情報ＤAを表示することにより端末装置１０ＢのユーザＢに通知するから、端末装置１０ＢのユーザＢは、表示された属性情報ＤAを確認したうえで購入の是非を決定することが可能となる。
【００３６】
また、本実施形態においては、ユーザＡが紹介した楽曲を端末装置１０ＢのユーザＢが取得（購入）した場合に、ユーザＡの識別情報ＵIDaを特典管理サーバ２０Ｃに報告する。すなわち、ユーザＡが紹介した楽曲を被紹介者であるユーザＢが実際に購入することを条件としてユーザＡに特典を付与することが可能となる。よって、ユーザＡのみならず、楽曲を配信するサービスの提供者に対しても確実に利益が還元されるという利点がある。
さらに、本実施形態においては、サービス提供システム２０は紹介コンテンツ管理サーバ２０ＢにおいてユーザＡがユーザＢに対して紹介しようとする楽曲を管理しており、そして、その楽曲をユーザＢの端末装置１０Ｂが取得（購入）するとユーザＢの端末装置１０Ｂからサービス提供システム２０の特典管理サーバ２０ＣにユーザＡの識別情報ＵIDaが報告されるから、サービス提供システム２０は、ユーザ間で行われる楽曲の紹介の状況を把握可能である。このため、例えば、ユーザＢの楽曲の嗜好傾向に基づいて、よく似た傾向の楽曲をユーザＢに薦めたり、店舗等で再生する楽曲を選択するための情報をコンテンツサーバ３０等のコンテンツ提供者に対して提供できるという利点がある。
【００３７】
＜第２実施形態＞
次に、本発明の第２実施形態について説明する。なお、以下に例示する各形態において作用や機能が第１実施形態と同様である要素については、第１実施形態の説明で参照した符号を流用して各々の詳細な説明を適宜に省略する。
【００３８】
図６は、本発明の第２実施形態に係る通信システム２００の全体構成を示す図である。同図に示されるように、第２実施形態の通信システム２００は、端末装置１０Ａの代わりに放音システム１０Ｃを有する点で第１実施形態の通信システム１００と相違する。放音システム１０Ｃは、例えば店舗Ｃ（レストランや小売店等）における音楽再生システムであり、ＩＤ記憶部１４ｃと店舗Ｃの内部に設置された放音部（スピーカー）１６ｃと音楽再生部１８ｃを含む。第１実施形態と同様に、放音システム１０Ｃは、店舗Ｃの識別情報ＵIDcを示す音響信号ＡSをサービス提供システム２０のＩＤ付与サーバ２０Ａから受信してＩＤ記憶部１４ｃに予め記憶している（図５のS1〜S4）。放音システム１０Ｃは、ＩＤ記憶部１４ｃに記憶されている識別情報ＵIDcを示す音響信号ＡSを、再生する楽曲（例えば楽曲ｂ）を示す音響信号ＭSに重畳（加算）して放音部１６に供給し、音響信号［ＡS＋ＭS］に応じた音響Ｓを放音部１６ｃから放射させる。すなわち、放音システム１０Ｃは、楽音の再生と並列に識別情報ＵIDcを伝送する点で第１実施形態と相違する。一方、音波を伝送媒体とする音響通信で識別情報ＵIDcを端末装置１０Ｂに伝送する点では第１実施形態と同様である。
【００３９】
また、第２実施形態の通信システム２００では、第１実施形態と同様に、店舗ＣがユーザＢに対して紹介しようとする楽曲の識別情報（例えば楽曲ａ，ｂ，ｃにそれぞれ対応する識別情報ＭIDa,ＭIDb,ＭIDc）が店舗Ｃの識別情報ＵIDcに対応付けられて、紹介コンテンツ管理サーバ２０Ｂの紹介コンテンツ管理テーブルTBL1に記憶されている（S5〜S7）。
【００４０】
第２実施形態の端末装置１０Ｂでは、収音部１３Ａによって音響信号［ＡS＋ＭS］に応じた音響Ｓが収音されると、制御部１１（ＩＤ抽出部１３Ｂ）は、例えばハイパスフィルタを利用して音響信号［ＡS＋ＭS］を音響信号ＡSと音響信号ＭSとに分離し、音響信号ＡSから店舗Ｃの識別情報ＵIDcを抽出する（S8,S9）。そして、制御部１１は、第１実施形態と同様に、店舗Ｃの識別情報ＵIDcをサービス提供システム２０の紹介コンテンツ管理サーバ２０Ｂに通信部１２から送信し、識別情報ＵIDcに対応付けて記憶された楽曲の識別情報ＭIDa,ＭIDb,ＭIDcを取得する（S10〜S12）。続いて、制御部１１は、楽曲ａ，ｂ，ｃの識別情報ＭIDa,ＭIDb,ＭIDcをコンテンツサーバ３０に通信部１２から送信して楽曲ａ，ｂ，ｃの各属性情報ＤAa,ＤAb,ＤAc（楽曲名）を取得し、取得した各属性情報ＤAa,ＤAb,ＤAcに応じた画像（楽曲名を示す画像）をタッチパネル１５に表示させる（S13〜S15）。ユーザＢが例えば楽曲ｂを購入すると、店舗Ｃに特典が付与される（S16〜S21）。第２実施形態においても第１実施形態と同様の作用および効果が奏される。
【００４１】
＜変形例＞
以上に例示した形態には様々な変形が加えられる。具体的な変形の態様を例示すれば以下の通りである。なお、以下の例示から２以上の態様を任意に選択して組合せてもよい。
【００４２】
（１）変形例１
上記実施形態では、紹介者ごとに１つの識別情報ＵIDを付与するが、紹介者に複数の識別情報ＵIDを付与することも可能である。例えば、相異なる時間帯に対応する複数の識別情報ＵIDを紹介者に付与する構成も採用し得る。この場合には、ひとりの紹介者が紹介しようとする楽曲を時間帯に応じて変更すること可能となる。また、紹介する楽曲のジャンルごとに異なる識別情報ＵIDを付与する構成や、所定時間が経過すると識別情報ＵIDが無効となる構成も採用し得る。また、上記実施形態においては、紹介者（ユーザＡ）の端末装置１０Ａによる識別情報ＵIDaの取得（図５のS1〜S3）は、コンテンツ紹介アプリが最初に起動された段階で実行されるが、これに限らず、例えば、ユーザＡが他のユーザに対して１又は複数の楽曲を紹介する都度取得するようにしてもよい。すなわち、紹介しようとする楽曲を紹介コンテンツ管理サーバ２０Ｂに登録する度に、当該登録の前段階として識別情報ＵIDaの取得（S1〜S3）が実行される。
紹介者に複数の識別情報ＵIDを付与可能な構成とする場合、例えば、紹介コンテンツ管理テーブルTBL1（図３）では、ユーザの識別情報ＵIDと楽曲の識別情報ＭIDの各組に対して、さらに、紹介者のアカウント識別情報ＡIDが対応付けられて記憶される。アカウント識別情報ＡIDは、コンテンツ紹介サービスの加入者（紹介者）のアカウントを一意に識別する情報である。特典管理テーブルTBL2（図４）では、ユーザの識別情報ＵIDの代わりにアカウント識別情報ＡIDごとの特典情報が記憶される。図５のステップS20において紹介者の識別情報ＵIDaがサービス提供システム２０の特典管理サーバ２０Ｃに報告されると、特典管理サーバ２０Ｃは、紹介コンテンツ管理テーブルTBL1から識別情報ＵIDaに対応するアカウント識別情報ＡIDを取得し、当該アカウント識別情報ＡIDに対応する特典情報を更新する(S21)。なお、ＩＤ付与サーバ２０Ａ、紹介コンテンツ管理サーバ２０Ｂ、特典管理サーバ２０Ｃ、あるいはサービス提供システム２０の任意のサーバに、ユーザの識別情報ＵIDとアカウント識別情報ＡIDとを対応付けたテーブルを別途記憶するようにしてもよい。
【００４３】
（２）変形例２
上記実施形態では、端末装置１０ＢがユーザＡの識別情報ＵIDaを紹介コンテンツ管理サーバ２０Ｂに送信して楽曲の識別情報ＭIDを取得し、取得した楽曲の識別情報ＭIDをコンテンツサーバ３０に送信して楽曲の属性情報（楽曲名）を取得するが、これに限られない。例えば、サービス提供システム２０の紹介コンテンツ管理サーバ２０Ｂが、端末装置１０ＢからのユーザＡの識別情報ＵIDaの受信を契機として、楽曲の識別情報ＭIDをコンテンツサーバ３０に送信して楽曲の属性情報ＤA（楽曲名）を取得し、取得した属性情報ＤAを例えば楽曲の識別情報ＭIDとともに端末装置１０Ｂに送信することも可能である。また、紹介コンテンツ管理サーバ２０Ｂが、端末装置１０ＢからのユーザＡの識別情報ＵIDaの受信を契機として、楽曲の識別情報ＭIDをコンテンツサーバ３０に送信して楽曲データＤMを取得し、端末装置１０Ｂに送信する構成も採用し得る。以上の説明から理解される通り、コンテンツ情報取得部は、紹介者（ユーザＡ）の識別情報ＵIDに対応付けられたコンテンツに関する情報を取得する要素として包括され、コンテンツに関する情報の内容や取得先（前述の例示では紹介コンテンツ管理サーバ２０Ｂやコンテンツサーバ３０）は任意である。コンテンツに関する情報には、コンテンツの識別情報（楽曲の識別情報ＭID）のほか、コンテンツの属性情報（楽曲の属性情報ＤA）やコンテンツ自体（楽曲データＤM）が包含される。
【００４４】
（３）変形例３
上記実施形態では、端末装置１０Ｂが、紹介コンテンツ管理サーバ２０Ｂから楽曲の識別情報ＭIDを受信するとコンテンツサーバ３０から楽曲の属性情報ＤAを取得し、その後に端末装置１０ＢのユーザＢが楽曲の購入を決定した場合に楽曲データＤMを取得するが、これに限られず、例えば、端末装置１０Ｂがコンテンツサーバ３０から楽曲の属性情報ＤAを取得することなく、はじめから楽曲データＤM自体を取得する構成も採用し得る。
【００４５】
（４）変形例４
上記実施形態では、ＩＤ付与サーバ２０Ａが紹介者（ユーザＡ又は店舗Ｃ）の識別情報ＵIDを示す音響信号ＡSを生成して紹介者の端末装置１０Ａ又は放音システム１０Ｃに送信するが、これに限られず、例えば、音響信号ＡSを生成する機能を端末装置１０Ａ又は放音システム１０Ｃに具備させる構成も採用し得る。また、上記実施形態では、紹介者の端末装置１０Ａ又は放音システム１０Ｃにおいて音響信号ＡSからユーザＡの識別情報ＵIDa又は店舗Ｃの識別情報ＵIDcを復号したが、サービス提供システム２０において音響信号ＡSから識別情報（ＵIDa，ＵIDc）を復号することも可能である。また、ＩＤ抽出部１３Ｂを端末装置１０Ｂに具備させる代わりに、サービス提供システム２０に具備させるようにしてもよい。
【００４６】
（５）変形例５
上記実施形態では、ユーザＢが楽曲を購入するとユーザＡに特典が付与される構成としたが、特典が付与される条件の内容は任意である。例えば、楽曲が無料の場合にユーザＢが楽曲データＤMをダウンロードすることを必要条件とする構成や、楽曲の識別情報ＭID又は属性情報ＤAを取得することを必要条件とする構成も採用し得る。
【００４７】
（６）変形例６
上記実施形態では、装置間で伝播する音波（空気の振動）を伝送媒体とする音響通信で紹介者の識別情報ＵIDを端末装置１０Ａから端末装置１０Ｂに送信する場合について説明したが、端末間の通信の方式は以上の例示に限定されない。例えば、BluetoothやFeliCaなど装置間で伝達される電波を伝送媒体とする電気通信で識別情報ＵIDを送信してもよい。すなわち、本発明において、識別情報ＵIDの伝送は、有線伝送路を介在させることなく装置間の空間に存在する伝送媒体を利用して実現される情報通信、すなわち、「無線による情報通信」として包括的に表現される。
【符号の説明】
【００４８】
１００，２００……通信システム、１０Ａ……端末装置（送信装置）、１０Ｂ……端末装置、１０Ｃ……放音システム（送信装置）、１１……制御部、１１Ａ……コンテンツ情報取得部、１１Ｂ……報告部、１２……通信部、１３……受信部、１３Ａ……収音部、１３Ｂ……ＩＤ抽出部、１４……記憶部、１５……タッチパネル、１６，１６ｃ……放音部、２０Ａ……ＩＤ付与サーバ、２０Ｂ……紹介コンテンツ管理サーバ、２０Ｃ……特典管理サーバ、３０……コンテンツサーバ、音響信号……ＡS、属性情報……ＤA、音響……Ｓ、楽曲の識別情報……ＭID、ユーザの識別情報……ＵID。
【図１】
2016031669.tif 000003
【図２】
2016031669.tif 000004
【図３】
2016031669.tif 000005
【図４】
2016031669.tif 000006
【図５】
2016031669.tif 000007
【図６】
2016031669.tif 000008